(57)【要約】【課題】  簡便な施工でスラブとスラブ、スラブと梁との連結を堅牢にし、既設ＲＣラーメン高架橋の耐力と剛性の向上および振動対策を図ることができる場所打ちコンクリートを用いたスラブの補強工法を提供する。【解決手段】  場所打ちコンクリートを用いたスラブの補強工法において、スラブ１の下面１Ａの線路直角方向に設置される場所打ちコンクリートからなる補強用小梁３と、前記スラブ１に配置されるあと施工アンカー５と、前記スラブ１の梁４に配置されるあと施工アンカー６とを施工し、前記補強用小梁３の軸方向鉄筋２Ｂは前記スラブ１の梁４に配置されるあと施工アンカー６と継ぎ、前記補強用小梁３のせん断補強筋２Ａは前記スラブ１のあと施工アンカー５と継ぐように前記補強用小梁３の配筋を行う。【選択図】  図２
2012149400.tif 000002
【特許請求の範囲】
【請求項１】
（ａ）スラブの下面の線路直角方向に設置される場所打ちコンクリートからなる補強用小梁と、
（ｂ）前記スラブに配置されるあと施工アンカーと、
（ｃ）前記スラブの梁に配置されるあと施工アンカーとを施工し、
（ｄ）前記補強用小梁の軸方向鉄筋は前記スラブの梁に配置されるあと施工アンカーと継ぎ、前記補強用小梁のせん断補強筋は前記スラブのあと施工アンカーと継ぐように前記補強用小梁の配筋を行うことを特徴とする場所打ちコンクリートを用いたスラブの補強工法。
【請求項２】
請求項１記載の場所打ちコンクリートを用いたスラブの補強工法において、前記補強用小梁の底面に鋼板埋設型枠を配置することを特徴とする場所打ちコンクリートを用いたスラブの補強工法。
【請求項３】
請求項１記載の場所打ちコンクリートを用いたスラブの補強工法において、前記補強用小梁の外面に超高強度繊維コンクリート埋設型枠を配置することを特徴とする場所打ちコンクリートを用いたスラブの補強工法。
【発明の詳細な説明】
【技術分野】
【０００１】
本発明は、場所打ちコンクリートを用いたスラブの補強工法に係り、特に、場所打ちＲＣを用いたＲＣラーメン高架橋のスラブの補強工法に関するものである。
【背景技術】
【０００２】
鉄筋コンクリート構造（以下、Ｒｅｉｎｆｏｒｃｅｄ  Ｃｏｎｃｒｅｔｅ：ＲＣ）が本格的に鉄道施設に用いられるようになった大正期以降、数多くのラーメン高架橋が建設されてきた。これらのラーメン高架橋は、建設から多くの歳月が経過していることから、耐久性や耐震性の観点から大規模な改修が必要となる場合がある（下記非特許文献１参照）。
【先行技術文献】
【非特許文献】
【０００３】
【非特許文献１】田所  敏弥，「アーチ型鋼材によるＲＣラーメン高架橋の梁補強」，ＲＲＲ  ２０１０．３，ｐｐ．４６
【発明の概要】
【発明が解決しようとする課題】
【０００４】
しかしながら、既存のＲＣラーメン高架橋は、立地条件や列車の過密な運行状況などのため、大規模な取り替えや改修が難しいのが現状である。
本発明は、上記状況に鑑みて、簡便な施工でスラブとスラブ、スラブと梁との連結を堅牢にし、既設ＲＣラーメン高架橋の耐力や剛性の向上および振動対策を図ることができる、場所打ちコンクリートを用いたスラブの補強工法を提供することを目的とする。
【課題を解決するための手段】
【０００５】
本発明は、上記目的を達成するために、
〔１〕場所打ちコンクリートを用いたスラブの補強工法において、スラブの下面の線路直角方向に設置される場所打ちコンクリートからなる補強用小梁と、前記スラブに配置されるあと施工アンカーと、前記スラブの梁に配置されるあと施工アンカーとを施工し、前記補強用小梁の軸方向鉄筋は前記スラブの梁に配置されるあと施工アンカーと継ぎ、前記補強用小梁のせん断補強筋は前記スラブのあと施工アンカーと継ぐように前記補強用小梁の配筋を行うことを特徴とする。
【０００６】
〔２〕上記〔１〕記載の場所打ちコンクリートを用いたスラブの補強工法において、前記補強用小梁の底面に鋼板埋設型枠を配置することを特徴とする。
〔３〕上記〔１〕記載の場所打ちコンクリートを用いたスラブの補強工法において、前記補強用小梁の外面に超高強度繊維コンクリート埋設型枠を配置することを特徴とする。
【発明の効果】
【０００７】
本発明によれば、簡便な施工でスラブとスラブ、スラブと梁との連結を堅牢にし、既設ＲＣラーメン高架橋の耐力や剛性の向上および振動対策を図ることができる場所打ちコンクリートを用いたスラブの補強工法を施すことができる。
【図面の簡単な説明】
【０００８】
【図１】本発明の第１実施例を示す場所打ちコンクリートを用いたスラブの補強工法の概略構成図である。
【図２】本発明の第１実施例を示す場所打ちコンクリートを用いたスラブの補強工法を示す要部模式図である。
【図３】本発明の第２実施例を示す鋼板埋設型枠を施工する場所打ちコンクリートを用いたスラブの補強工法を示す要部模式図である。
【図４】本発明の第３実施例を示す超高強度繊維コンクリート埋設型枠を施工する場所打ちコンクリートを用いたスラブの補強工法を示す要部模式図である。
【発明を実施するための形態】
【０００９】
本発明の場所打ちコンクリートを用いたスラブの補強工法は、スラブの下面の線路直角方向に設置される場所打ちコンクリートからなる補強用小梁と、前記スラブに配置されるあと施工アンカーと、前記スラブの梁に配置されるあと施工アンカーとを備え、前記補強用小梁の軸方向鉄筋は前記スラブの梁に配置されるあと施工アンカーを継ぎ、前記補強用小梁のせん断補強筋は前記スラブのあと施工アンカーと継ぐように前記補強用小梁の配筋を行う。
【実施例】
【００１０】
以下、本発明の実施の形態について詳細に説明する。
図１は本発明の第１実施例を示す場所打ちコンクリートを用いたスラブの補強工法の概略構成図であり、そのスラブを下方から見上げた概略構成図、図２はその補強工法を示す要部模式図であり、図２（ａ）は線路方向から見た図、図２（ｂ）は線路直角方向から見た図である。
【００１１】
これらの図において、１はスラブ（鉄筋コンクリートの床板、天井板、デッキなどの構築体を言う）、３はこのスラブ１の下面１Ａに線路直角方向に設置された場所打ちコンクリート（ＲＣ）からなるスラブ１の補強用小梁であり、この内部に鉄筋２Ａ，２Ｂが配筋されている。４はスラブ１の縦梁、５はスラブ１に配置される打ち込み式あと施工アンカー、６は縦梁４に配置される打ち込み式あと施工アンカーである。本発明では、吊り型枠（図示なし）を用いて、スラブ１の下面１Ａに線路直角方向に逆打ちでコンクリート２Ｃを打設し、せん断補強筋２Ａと軸方向鉄筋２Ｂを有する補強用小梁３とする。この時、縦梁４に設置した打ち込み式あと施工アンカー６は補強用小梁３の軸方向鉄筋２Ｂと継ぎ、スラブ１の打ち込み式あと施工アンカー５は補強用小梁３のせん断補強筋２Ａと継ぐようにして、スラブ１の補強用小梁３の鉄筋２Ａ，２Ｂの配筋を行う。このように構成することで、スラブ１の補強用小梁３の鉄筋としてのせん断補強筋２Ａおよび軸方向鉄筋２Ｂとスラブ１および縦梁４との接合を強固なものにしている。
【００１２】
図３は本発明の第２実施例を示す鋼板埋設型枠を施工する場所打ちコンクリートを用いたスラブの補強工法を示す要部模式図であり、図３（ａ）は線路方向から見た図、図３（ｂ）は線路直角方向から見た図である。
この実施例では、コンクリート２Ｃを打設してスラブ１の補強用小梁３を設置後、その補強用小梁３の底面に鋼板埋設型枠７を配置してスラブ１の補強用小梁３自体の補強度を高めている。
【００１３】
図４は本発明の第３実施例を示す超高強度繊維コンクリート埋設型枠を施工する場所打ちコンクリートを用いたスラブの補強工法を示す要部模式図であり、図４（ａ）は線路方向から見た図、図４（ｂ）は線路直角方向から見た図である。
この実施例では、コンクリート２Ｃを打設してスラブ１の補強用小梁３を設置後、その補強用小梁３の外面全体に超高強度繊維コンクリート埋設型枠８を配置して補強用小梁３自体の補強度を高めている。
【００１４】
このように構成することにより、スラブ１の補強用小梁３は、スラブ１と縦梁４に堅牢に接合されることになり、剛性を高めたスラブ１の補強用小梁３を構築することができる。
したがって、本発明によれば、既設ＲＣラーメン高架橋の耐力と剛性の向上を図ることができ、また、振幅時に騒音の原因となるスラブの腹に補強用小梁を設置するので、振動対策も図ることができる。
【００１５】
なお、本発明は上記実施例に限定されるものではなく、本発明の趣旨に基づき種々の変形が可能であり、これらを本発明の範囲から排除するものではない。
【産業上の利用可能性】
【００１６】
本発明は、簡便な施工でスラブとスラブ、スラブと梁との連結を堅牢にし、既設ＲＣラーメン高架橋の耐力と剛性の向上および振動対策を図ることができる、場所打ちコンクリートを用いたスラブの補強工法として利用可能である。
【符号の説明】
【００１７】
１    スラブ
１Ａ    スラブの下面
２Ａ    せん断補強筋
２Ｂ    軸方向鉄筋
２Ｃ    コンクリート
３    補強用小梁
４    スラブの縦梁
５    スラブへのあと施工アンカー
６    縦梁へのあと施工アンカー
７    鋼板埋設型枠
８    超高強度繊維コンクリート埋設型枠
【図１】
2012149400.tif 000003
【図２】
2012149400.tif 000004
【図３】
2012149400.tif 000005
【図４】
2012149400.tif 000006